(57)【特許請求の範囲】
【請求項１】
第１外面部に第１光電池モジュールが設けられ、第２外面部に第２光電池モジュールが設けられる光電池スラットを備え、
前記第１光電池モジュールの光の反射率は、前記第２光電池モジュールの光の反射率より大きく形成され、
前記第１外面部と前記第２外面部との間には中空部が設けられており、
前記第１外面部と前記第２外面部の少なくとも１つには、前記中空部から外気に通じる通気孔が設けられ、
前記通気孔は、光電池スラットの短辺方向に離間して配置される第１通気孔と第２通気孔とを含み、
本光電池ブラインドは、前記第１光電池モジュールと前記第２光電池モジュールとを切り替えて室外を向くように操作できるように構成されることを特徴とする光電池ブラインド。
【請求項２】
太陽の状態を検出する検出手段をさらに備え、
前記検出手段の出力に応じて、前記第１光電池モジュールと前記第２光電池モジュールとの一方が室外を向くように自動で切り替え可能に構成されることを特徴とする請求項１に記載の光電池ブラインド。
【請求項３】
前記第１光電池モジュールの光の反射率は７０％以上であり、
前記第２光電池モジュールの光の反射率は３０％以下であることを特徴とする請求項１または２に記載の光電池ブラインド。
【請求項４】
前記光電池スラットの短辺に沿った方向を短辺方向というとき、
前記第１光電池モジュールの前記短辺方向における範囲の一方端は、前記第２光電池モジュールの短辺方向範囲内に位置することを特徴とする請求項１から３のいずれかに記載の光電池ブラインド。
【請求項５】
前記第１外面部と前記第２外面部とは金属材料もしくは樹脂材料から一体に形成されることを特徴とする請求項１から４のいずれかに記載の光電池ブラインド。
【請求項６】
請求項１から５のいずれかに記載の光電池ブラインドと、
前記第１光電池モジュールと前記第２光電池モジュールの少なくとも１つの出力電流によって充電されるバッテリーと、
前記バッテリーから前記光電池ブラインドが対面する室内の電気機器に電力を供給する供給装置と、
を備えることを特徴とする光電池ブラインドシステム。
【発明の詳細な説明】
【技術分野】
【０００１】
本発明は、光電池ブラインドおよびそれを備えた光電池ブラインドシステムに関する。
【背景技術】
【０００２】
エネルギー効率を向上する目的で光電変換セルを備えたブラインドが知られている。例えば特許文献１には太陽電池モジュールを備えるブラインドが記載されている。
【０００３】
特許文献１に記載のブラインドは、スラットと、スラットを保持する鉛直方向に延在するラダーコードと、スラットを上下動させる昇降コードとを備えており、スラットには太陽電池モジュールが設けられている。
【先行技術文献】
【特許文献】
【０００４】
【特許文献１】特開２０１４−１３６９２８号公報
【発明の概要】
【発明が解決しようとする課題】
【０００５】
ところで、このような従来技術によるブラインドは、一方の面を室外に向け、他方の面を室内に向けてウインドガラス又はウオールガラスの室内側に設置されて使用される場合が多い。したがって、室内雰囲気はブラインドの温度上昇の影響を受けやすいと考えられる。このため、夏期においては、光電変換セルが強い太陽光を吸収して大幅に温度上昇することで、室内側の雰囲気を加熱して冷房効率を低下させることが考えられる。他方、冬期には、むしろ光電変換セルが太陽光を吸収して、室内側の雰囲気を加熱することが期待されており、太陽光を効率的に吸収する構成が望ましい。つまり、従来のブラインドは、夏期と冬期とで望ましい性質が異なるところ、夏期と冬期とで性質の切替をすることがむずかしい問題がある。
【０００６】
また、光電変換セルの温度上昇による室内への影響を緩和するため、ブラインドの室内側にもガラスウオールを設けることも考えられる。しかし、この場合はブラインドの光電変換セルのメンテナンス性が低下するおそれがある。
つまり、従来のブラインドでは、光電変換セルのメンテナンス性を維持しながら夏期と冬期とで性質の切替を可能とする観点から改善する余地があった。
【０００７】
本発明の目的は、夏期と冬期とで性質を切り替えて使用可能な光電池ブラインドの技術を提供することにある。
【課題を解決するための手段】
【０００８】
上記課題を解決するために、本発明のある態様の光電池ブラインドは、第１外面部に第１光電池モジュールが設けられ、第２外面部に第２光電池モジュールが設けられる光電池スラットを備える。第１光電池モジュールの光の反射率は、第２光電池モジュールの光の反射率より大きく形成され、第１外面部と第２外面部との間には中空部が設けられており、第１外面部と第２外面部の少なくとも１つには、中空部から外気に通じる通気孔が設けられ、通気孔は、光電池スラットの短辺方向に離間して配置される第１通気孔と第２通気孔とを含み、本光電池ブラインドは、第１光電池モジュールと第２光電池モジュール２４とを切り替えて室外を向くように操作できるように構成される。
【０００９】
この態様によると、光電池ブラインドにおいて、反射率の異なる二種類の光電池モジュールを有するから、夏期と冬期とで室外側に対面する光電池モジュールを切り替えて使用することができる。
【００１０】
上記課題を解決するために、本発明の別の態様の光電池ブラインドシステムは、上述の光電池ブラインドと、第１光電池モジュールと第２光電池モジュールの少なくとも１つの出力電流によって充電されるバッテリーと、バッテリーから光電池ブラインドが対面する室内の電気機器に電力を供給する供給装置と、を備える。
【００１１】
この態様によると、光電池モジュールの出力が、光電池ブラインドが対面する室内の電気機器で消費されるから、光電池ブラインドからの配線が短くなり、その配線による損失を軽減することができる。
【発明の効果】
【００１２】
本発明によれば、夏期と冬期とで性質を切り替えて使用可能な光電池ブラインドの技術を提供することができる。
【図面の簡単な説明】
【００１３】
【図１】本発明の実施形態に係るブラインドの正面図である。
【図２】図１のブラインドのスラットの正面視の模式図である。
【図３】図１のブラインドのスラットの側面視の断面図である。
【図４】図１のブラインドのスラットの別姿態の側面視の断面図である。
【図５】図１のブラインドのスラットの側面視の断面図である。
【図６】光電池モジュールの正面視の模式図である。
【図７】光電池モジュールの側面視の断面図である。
【図８】光電池モジュールの配線経路を示す模式図である。
【図９】図１のブラインドの別の姿態を示す正面図である。
【図１０】図１のブラインドを用いた光電池ブラインドシステムの模式図である。
【図１１】第１変形例に係るブラインドの側面視の模式図である。
【図１２】第２変形例に係るスラットの側面視の断面図である。
【発明を実施するための形態】
【００１４】
以下、本発明を好適な実施の形態をもとに図面を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１５】
図１は実施形態に係るブラインド１００の正面図である。以下、ＸＹＺ直交座標系をもとに説明する。Ｘ軸は水平な左右方向に対応し、Ｙ軸は水平な前後方向に対応し、Ｚ軸は鉛直な上下方向に対応する。Ｙ軸方向およびＺ軸方向はそれぞれＸ軸方向に直交する。Ｘ軸方向は左方向あるいは右方向と、Ｙ軸方向は前方向あるいは後方向と、Ｚ軸方向は上方向あるいは下方向と表記することがある。図１においてブラインド１００を前方から視て向かって右側を右と、左側を左という。
【００１６】
実施形態に係るブラインド１００は、スラット列８と、ヘッドボックス５２と、ボトムレール５４と、ラダーコード６２と、昇降コード６４とを主に含む。スラット列８は上下方向にすだれ状に配列された複数枚のスラット１０を含む。スラット１０はそれぞれ横長の略矩形状に形成される。ヘッドボックス５２はスラット列８の上段に設けられブラインド１００の最上段を構成する。ヘッドボックス５２は例えば図外の窓枠に固定される。ヘッドボックス５２の下側にはスラット列８が連結される。ヘッドボックス５２にはスラット１０の角度調整機構（不図示）および昇降機構（不図示）などが内蔵される。ボトムレール５４はスラット列８の下段に設けられブラインド１００の最下段を構成する。ボトムレール５４はスラット列８の下側に連結される。ラダーコード６２はブラインド１００のスラット１０の角度を調節するためのコード部材である。ラダーコード６２は各段のスラット１０の幅方向の両サイドに結合される。ラダーコード６２の上端はヘッドボックス５２内の角度調整機構（不図示）に連結される。昇降コード６４は、ボトムレール５４を引き上げることでスラット列８を畳んで引き上げ、ボトムレール５４を降下させることでスラット列８を開いて降下させるためのコード部材である。昇降コード６４の下端はスラット１０に穿設された通孔１１を通ってボトムレール５４に連結される。昇降コード６４の上端はヘッドボックス５２内の昇降機構に連結される。
【００１７】
（スラット）
図２はスラット１０の正面視の模式図である。スラット１０の正面が、例えば室外に対面し、スラット１０の背面が室内に対面してもよい。スラット１０は、第１外面部１２と、第２外面部１４と、第１光電池モジュール２２と、第２光電池モジュール２４とを主に含む。スラット１０は、横方向に延びる長辺１０ａと縦方向に延びる短辺１０ｂとを有する横長な矩形状の輪郭を有し、厚み方向に薄い偏平形状を有する。スラット１０の側面視の縦断面は、例えば矩形形状であってもよい。第１外面部１２はスラット１０の厚み方向の一方の外壁を構成し、第２外面部１４は他方の外壁を構成する薄板状の部分である。第１外面部１２と第２外面部１４とは互いに反対を向くように設けられている。図２では、第１外面部１２が正面を向き、第２外面部１４が背面を向く。スラット１０は、第１外面部１２が背面を向き、第２外面部１４が正面を向くように、側面視の角度を調整することができる。
【００１８】
スラット１０では、第１外面部１２に第１光電池モジュール２２が設けられ、第２外面部１４に第２光電池モジュール２４が設けられる。第１光電池モジュール２２と第２光電池モジュール２４を総括する場合は光電池モジュール２０という。光電池モジュール２０は光起電力効果を利用し、光エネルギーを電力に変換する複数の光電池セルを含む。光電池モジュール２０は複数の光電池セルを電気的に直並列に接続して必要な電圧と電流を得られるようにしたモジュールである。光電池モジュール２０は薄型に形成される。光電池セル（Photovoltaic cell）は太陽電池（Solar cell）と称されることがある。光電池モジュール２０の発電電力は所定の配線を介して、例えばヘッドボックス５２に導かれ、ヘッドボックス５２から所定の室内配線に出力されてもよい。
【００１９】
図３はスラット列８の一部を示す側面視の断面図である。図４は別姿態のスラット列８の一部を示す側面視の断面図である。図３、図４は２枚のスラット１０の一部がＺ軸方向にオーバーラップする状態を示す。つまり、上側のスラット１０の下部が下側のスラット１０の上部の前側に重複している。図３では、第１外面部１２が正面を向き、第２外面部１４が背面を向く姿態を示す。図４は、第１外面部１２が背面を向き、第２外面部１４が正面を向く姿態を示す。図３に示すように、コア部１６は、第１外面部１２が凸面形状を有し、第２外面部１４が凹面形状を有する。スラット１０はコア部１６と、コア部１６の２つの外面を構成する第１外面部１２に布設される第１光電池モジュール２２と、第２外面部１４に布設される第２光電池モジュール２４を含む。コア部１６は第１外面部１２と第２外面部１４とを含む。第１外面部１２と第２外面部１４との間には間隔が設けられている。特に、第１外面部１２と第２外面部１４の間には中空部１５が設けられる。つまり、コア部１６は、第１外面部１２と、中空部１５と、第２外面部１４の三層構造を有する。コア部１６は、例えば各種の樹脂材料や金属材料から形成することができる。実施の形態のコア部１６では、第１外面部１２と第２外面部１４とはアルミニウム合金やマグネシウム合金などの金属材料もしくは樹脂材料から一体に形成される。コア部１６は、別々に形成された第１外面部１２と第２外面部１４とを結合して形成されてもよい。コア部１６は、例えば金属素材を強圧してダイス孔から押し出す押出加工により形成することができる。
【００２０】
（通気孔）
光電池モジュール２０が日照を受けて高温になるとその発電効率が低下することがある。そこで、実施の形態のスラット１０では、第１外面部１２と第２外面部１４の少なくとも一つには、外気に通じる通気孔３０が設けられる。特に、通気孔３０は中空部１５から外気に通じるように形成される。図２に示すように、通気孔３０は短辺方向（Ｚ軸方向）に離間して配置される第１通気孔３２と第２通気孔３４とを含む。第１通気孔３２と第２通気孔３４は、例えば正面視で略矩形状または長円などのオーバル形状を有してもよい。第１通気孔３２と第２通気孔３４はそれぞれ長手方向（Ｘ軸方向）に離間して複数個ずつ設けられる。第１通気孔３２と第２通気孔３４は、中空部１５内の空気が加熱された場合に、対流により第１通気孔３２と第２通気孔３４の一方から外気を吸入して、他方から排出することができる。このように、中空部１５内の空気が外気と対流して入れ替わることで、コア部１６および光電池モジュール２０が冷却され、光電池モジュール２０の発電効率の低下を緩和することができる。また、通気孔３０から排出される暖気は室内側にも流れて、室内の暖房効率の向上に寄与しうる。
【００２１】
次に、上側のスラットの陰について説明する。図５に示すように、スラット１０の上部には上段のスラット１０ｈの下部が被ることで、その部分に日照の日陰領域１０ｄが掛かることがある。光電池モジュール２０の一部に日陰領域１０ｄが掛かると、その部分での発電量が低下すると共に抵抗が増え、光電池モジュール２０全体の出力電力を低下させるおそれがある。そこで、実施の形態のブラインド１００では、スラット１０の短辺１０ｂに沿った短辺方向をＺ軸方向にセットするとき、第１光電池モジュール２２の短辺方向であるＺ軸方向の一方端２２ｅは、第２光電池モジュール２４のＺ軸方向の範囲２４ｇ内に位置する。つまり、第１光電池モジュール２２と第２光電池モジュール２４とをスラットの厚み方向に投影するとき、一方のＺ軸方向範囲は他方のＺ軸方向範囲に対してＺ軸方向のいずれかに寄ってシフトしている。このように構成することで、日陰領域１０ｄに対応する部分に光電池が設けられない非布設領域を形成することができる。日陰領域１０ｄに非布設領域を形成することで、日陰領域１０ｄに起因する光電池モジュール２０の抵抗増加の影響を緩和することができる。また同様に、第２光電池モジュール２４のＺ軸方向の一方端２４ｅは、第１光電池モジュール２２のＺ軸方向の範囲２２ｇ内に位置する。
【００２２】
（光電池モジュール）
次に光電池モジュール２０について説明する。図６は光電池モジュール２０の正面視の模式図である。光電池モジュール２０は、長手方向に配列された複数の光電池サブモジュール２１を含み、光電池サブモジュール２１はアレイ状に配列された複数の光電池セル２３を含む。光電池セル２３はコア部１６の表面に、例えばスパッタリング処理などの手段により直接形成されてもよい。実施の形態の光電池モジュール２０は、柔軟性を有する薄いシート上に光電池セル２３を形成して、光電池セル２３が形成された薄いシートをコア部１６に貼り付けることで形成される。このような構成は第１光電池モジュール２２と第２光電池モジュール２４とで共通である。
【００２３】
図７は光電池モジュール２０の側面視の断面の一例を示す模式図である。第１光電池モジュール２２は絶縁層２２ｃと、発電層２２ａと、フィルター層２２ｂと、を含む。絶縁層２２ｃはコア部１６の第１外面部１２に貼り付けられた絶縁シートである。発電層２２ａは絶縁層２２ｃの表面に形成され、例えば裏面電極上に光電変換層（例えば、アモルファスシリコン）と透明電極と積層して構成される。フィルター層２２ｂは発電層２２ａの表面に形成され、入射光を選択的に透過させる。第２光電池モジュール２４は絶縁層２４ｃと、発電層２４ａと、フィルター層２４ｂと、を含む。絶縁層２４ｃ、発電層２４ａおよびフィルター層２４ｂは、それぞれ絶縁層２２ｃ、発電層２２ａおよびフィルター層２２ｂと同様に構成される。
【００２４】
日照の状態に応じて室外側に対面する光電池モジュールを切り替えできることが望ましい。そこで、実施の形態のブラインド１００では、第１光電池モジュール２２の光の反射率は第２光電池モジュール２４の光の反射率より大きく形成される。具体的には、フィルター層２２ｂがフィルター層２４ｂより光の反射率が大きく形成される。つまり、フィルター層２２ｂは赤外線光を透過させ可視光線をより多く反射するフィルターであってもよい。発電層２２ａは、発電層２４ａより赤外線領域での発電効率が高く形成される。このように構成することによって、第１光電池モジュール２２は、第２光電池モジュール２４の反射率より高い反射率を具備することができる。
【００２５】
第１光電池モジュール２２の光の反射率は、例えば７０％以上に形成されてもよい。特に、第１光電池モジュール２２の近赤外線や可視光線などセルの分光感度が低い波長領域の反射率は、例えば７０％以上に形成されてもよい。反射率が低い場合に比べて近赤外線や可視光線などの吸収を抑制して、第１光電池モジュール２２の温度上昇を緩和することができる。第２光電池モジュール２４の光の反射率は、例えば３０％以下に形成されてもよい。黒色に近いため、反射率が高い場合に比べて光から効率的に発電することができる。
【００２６】
（接続配線）
次に、光電池モジュール２０の配線の一例について説明する。図８は光電池モジュール２０の配線経路を示す模式図である。まず、第１光電池モジュール２２の接続配線について説明する。それぞれのスラット１０において、第１光電池モジュール２２に含まれる複数の光電池サブモジュール２１はスラット１０の長手方向に沿って、左から右に向かって直列に接続される。第１光電池モジュール２２の右端電極からはスラット１０内を右から左に向かって折り返し配線され左側の折り返し配線に接続される。第１光電池モジュール２２の左端電極からはリード線が上向きにスラットを跨いで配線され、上側のスラット１０の折り返し配線または電極２２ｍに接続される。このように、第１光電池モジュール２２は上から下に向かって直列に接続される。最上位置のスラット１０の左端電極はリード線により電極２２ｍと接続される。最下位置のスラット１０の左側の折り返し配線はリード線により電極２２ｐと接続される。つまり、それぞれのスラット１０の第１光電池モジュール２２は直列に接続され、その発電電力は電極２２ｐと電極２２ｍとに出力される。
【００２７】
同様に、第２光電池モジュール２４に含まれる複数の光電池サブモジュール２１はスラット１０の長手方向に沿って、右から左に向かって直列に接続される。複数の第２光電池モジュール２４は上から下に向かってスラットを跨いで直列に接続される。直列に接続された複数の第２光電池モジュール２４の発電電力は電極２４ｐと電極２４ｍとに出力される。つまり、複数の第１光電池モジュール２２の発電電力は、スラット１０の長手方向の一方端である左端側を跨いで配線されるリード線により、電極２２ｐと電極２２ｍとに出力され、複数の第２光電池モジュール２４の発電電力は、スラット１０の長手方向の他方端である右端側を跨いで配線されるリード線により、電極２４ｐと電極２４ｍとに出力される。電極２２ｐ、電極２２ｍおよび電極２４ｐ、電極２４ｍは、ヘッドボックス５２内にて所定の出力手段（不図示）に接続される。
【００２８】
スラット１０を跨いで配線されるリード線は、ラダーコード６２や昇降コード６４に内蔵されてもよいが、実施の形態のブラインド１００では、リード線はラダーコード６２や昇降コード６４とは別に設けられる。
【００２９】
（選択回路）
第１光電池モジュール２２と第２光電池モジュール２４とは、一方が室外に向いて大きな電力を発電するとき、他方は室内を向いておりその発電量は小さい。このため、第１光電池モジュール２２と第２光電池モジュール２４とを、単に直列に接続すると、室内を向いたモジュールの内部抵抗により全体の発電出力が低下する。そこで、ブラインド１００では、第１光電池モジュール２２と第２光電池モジュール２４の発電量の多い方の出力を選択して出力する選択回路（不図示）が設けられる。
【００３０】
次に、このように構成されたブラインド１００の動作を説明する。実施の形態のブラインド１００は、第１光電池モジュール２２と第２光電池モジュール２４とを切り替えて室外を向くように操作できるように構成される。例えばラダーコード６２を通じてスラット１０の角度を調整するように構成してもよい。このように構成することで、夏季など日照が強い場合には、図１に示すように、反射率の大きな第１光電池モジュール２２が室外を向くように切り替えることができる。また、冬期など日照が弱い場合には、図９に示すように、反射率の小さな第２光電池モジュール２４が室外を向くように切り替えることができる。このようなモジュールの切替は、手動で切替可能に構成されてもよく、太陽の状態を検出する検出手段を設けて、その検出手段の出力に応じて自動で切替可能に構成されてもよい。
【００３１】
次に、このように構成されたブラインド１００の特徴を説明する。
ブラインド１００では、第１外面部１２に第１光電池モジュール２２が設けられ、第２外面部１４に第２光電池モジュール２４が設けられる光電池スラットであるスラット１０を備える。第１光電池モジュール２２の光の反射率は、第２光電池モジュール２４の光の反射率より大きく形成される。この構成によれば、日照が強いときには反射率の高い第１光電池モジュール２２を室外に向けてブラインド１００の温度上昇を緩和し、日照が弱いときには反射率の低い第２光電池モジュール２４を室外に向け、反射を減らすことで光エネルギーを効率的に吸収することができる。
【００３２】
ブラインド１００では、第１光電池モジュール２２の光の反射率は７０％以上であり、第２光電池モジュール２４の光の反射率は３０％以下であるから、反射率の比が２倍を超え、日照が強いときに第１光電池モジュール２２を室外に向けることで、光エネルギーの吸収を半分以下に抑え、ブラインド１００の温度上昇を一層緩和することができる。
【００３３】
ブラインド１００では、光電池スラットであるスラット１０の短辺１０ｂに沿った方向を短辺方向というとき、第１光電池モジュール２２の短辺方向における範囲２２ｇの一方端２２ｅは、第２光電池モジュール２４の短辺方向の範囲２４ｇ内に位置する。この構成によれば、第１外面部１２の所定範囲に光電池が設けられない非布設領域を形成することができる。この非布設領域を上段のスラット１０ｈの日陰領域１０ｄに対応させることで、日陰領域１０ｄの影響を緩和することができる。
【００３４】
ブラインド１００では、第１外面部１２と第２外面部１４との間には間隔が設けられており、第１外面部１２と第２外面部１４の少なくとも１つには、外気に通じる通気孔３０が設けられる。外気に通じることで、コア部１６および光電池モジュール２０が冷却され、光電池モジュール２０の発電効率の低下を緩和することができる。また、通気孔３０から排出される暖気は室内側にも流れることで、室内の暖房効率の向上に寄与しうる。
【００３５】
ブラインド１００では、第１外面部１２と前記第２外面部１４とは金属材料もしくは樹脂材料から一体に形成されるから、外気に通じることで、第１外面部１２と第２外面部１４とに布設された光電池モジュール２０を効果的に冷却することができる。
【００３６】
（光電池ブラインドシステム）
次にブラインド１００の用途を説明する。図１０は、実施の形態に係るブラインド１００を用いた光電池ブラインドシステム１の模式図である。図１０において、室内８０は、天井７６と床７８の間に形成され、ガラス壁７４によって室外８１と区画される。光電池ブラインドシステム１は、ブラインド１００と、バッテリー７０と、電力供給装置７２とを主に含む。ブラインド１００は、ヘッドボックス５２を上に、ボトムレール５４を下にして吊される。ブラインド１００は、複数のスラット１０がガラス壁７４を覆うように室内８０側に設けられる。ブラインド１００は、その正面が室外８１に対面し、その背面が室内８０に対面する。バッテリー７０は、第１光電池モジュール２２と第２光電池モジュール２４の少なくとも１つの出力電流によって充電される。光電池モジュール２０の出力電力は所定の配線（不図示）を介してヘッドボックス５２に導かれる。このヘッドボックス５２に導かれた電力は室内に設けた配線７３を介してバッテリー７０に導かれ、バッテリー７０を充電する。バッテリー７０は、例えば床７８の下側に収容される。電力供給装置７２は、配線７５を介してバッテリー７０からブラインド１００が対面する室内８０の電気機器８２に電力を供給する。電力供給装置７２は、例えば床７８の下側に収容される。このように構成することで、光電池モジュール２０で発電した電力を商用電力系統へ逆潮流する場合に比べて、構成が簡単で設備が小型化できシステムを安価に構成することができる。
【００３７】
バッテリー７０は光電池モジュール２０の発電量の多いときには充電され、発電量が少ないときには放電することで、光電池モジュール２０の発電量が変動した場合でも、電力供給を円滑にすることができる。電気機器８２は、例えば事務机に設置されるタスクライト８２ａやパーソナルコンピュータ８２ｂなどであってもよい。バッテリー７０は商用電力系統からも充電可能に構成されてもよい。この場合、光電池モジュール２０の発電量が不足する場合にも電気機器８２を使用することができる。
【００３８】
次に、このように構成された光電池ブラインドシステム１の特徴を説明する。
光電池ブラインドシステム１では、ブラインド１００と、第１光電池モジュール２２と第２光電池モジュール２４の少なくとも１つの出力電流によって充電されるバッテリー７０と、バッテリー７０からブラインド１００が対面する室内８０の電気機器８２に電力を供給する電力供給装置７２と、を備える。この構成によれば、光電池モジュール２０で発電した電力を商用電力系統へ逆潮流する場合に比べて、構成が簡単で設備が小型化できシステムを安価に構成することができる。また、このような電気機器８２を直流電源対応とすることで、光電池モジュール２０で発電した直流電力を交流に変換することなく利用することが可能になる。この場合、交流への変換手段が不要になり、交流への変換ロスも軽減することができる。
以上が光電池ブラインドシステム１の構成である。実施の形態に係るブラインド１００は、光電池ブラインドシステム１に好適に用いることができる。
【００３９】
以上、本発明の実施の形態をもとに説明した。これらの実施の形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００４０】
以下、変形例について説明する。変形例の図面および説明では、実施の形態と同一または同等の構成要素、部材には、同一の符号を付する。実施の形態と重複する説明を適宜省略し、実施の形態と相違する構成について重点的に説明する。
【００４１】
（第１変形例）
次に、第１変形例について説明する。図１１は第１変形例に係るブラインド２００の側面視の模式図である。図１１は図１０に対応する。実施の形態では、すべてのスラットが同じ角度に傾斜する例について説明したが、これに限られない。例えば、ブラインドの上側の一部のスラットが下部のスラットと異なる角度で傾斜するように構成されてもよい。ブラインド２００では、スラット１０の上側にスラット１０と異なる角度で傾斜するライトシェルフ２２０が設けられる。
【００４２】
エネルギー効率向上の観点で、日照の一部を室内に導入して室内照明を補うことが望ましい。そこで、変形例のブラインド２００では、ブラインド２００の上部にライトシェルフ２２０が設けられる。ライトシェルフ２２０は複数のスラット２１０を含み、太陽光２３０をスラット２１０の表面で反射して室内８０に導入可能に構成される。スラット２１０で反射した太陽光２３０は、例えば天井７６の表面で反射させて室内８０を照らすことができる。太陽高度の変化に対応してスラット２１０の角度を変化させて、太陽光２３０を効果的に室内８０に導入することが望ましい。そこで、ブラインド２００では、スラット２１０の角度はスラット１０とは別に調整可能に構成される。スラット２１０の角度をスラット１０とは別に変化させることで、太陽光２３０の有効利用が可能になる。スラット２１０の角度は、手動で調整可能に構成してもよく、太陽の状態を検出する検出手段を設けて、その検出手段の出力に応じて自動で調整可能に構成してもよい。
【００４３】
第１変形例のブラインド２００は、ブラインド１００と同様の構成を備えることで、ブラインド１００の特徴と同様の特徴を有する。加えて、ブラインド２００は、日照の弱い時季の発電量を増やすことが可能であり、太陽光を室内に導入して室内照明を補うことができる。また、専用のライトシェルフを取り付ける場合に比べて、メンテナンス性が格段に高く、安価にて容易に導入することができる。
【００４４】
（第２変形例）
次に、第２変形例について説明する。実施の形態では、第１光電池モジュール２２がコア部１６の凸面に布設され、第２光電池モジュール２４がコア部１６の凹面に布設される例について説明したが、これに限られない。第１光電池モジュール２２がコア部１６の凹面に布設され、第２光電池モジュール２４がコア部１６の凸面に布設されてもよい。
【００４５】
図１２は第２変形例に係るスラット３１０の側面視の断面図である。図１２は図３に対応している。図１２に示すように、この変形例では、第１外面部１２が凹面形状を有し、第２外面部１４が凸面形状を有する。第１光電池モジュール２２は凹面形状を有する第１外面部１２に布設され、第２光電池モジュール２４は凸面形状を有する第２外面部１４に布設される。
【００４６】
第２変形例のスラット３１０は、スラット１０と同様の構成を備えることで、スラット１０の特徴と同様の特徴を有する。加えて、凸面形状を有する第２外面部１４は凹面形状を有する第１外面部１２より広くできるから、第２外面部１４に布設される第２光電池モジュール２４の面積を増やすことができる。日照の弱い時季に反射率が低い第２光電池モジュール２４を室外に向けて使用することで、その面積の増加分に応じて発電量を増やすことが可能になる。
【００４７】
（その他の変形例）
実施の形態では、日陰領域１０ｄに対応する部分に光電池が設けられない非布設領域を形成する例について説明したが、これに限られない。例えば、光電池モジュール２０としてＣＩＧＳ系光電池を採用し、日陰領域１０ｄに対応する部分を含めて広い範囲にこの光電池を布設するように構成してもよい。ＣＩＧＳ系光電池を採用することで、日陰領域１０ｄに起因する光電池モジュール２０の抵抗増加の影響を緩和することができ、布設面積を大きくできるので、その分発電量を増やすことも可能になる。なお、ＣＩＧＳ系光電池は、光吸収層の材料として、シリコンの代わりに、例えばCu、In、Ga、Al、Se、Sなどから成るカルコパイライト系化合物を用いる薄膜多結晶光電池である。
【００４８】
実施の形態では、光電池モジュール２０が長手方向に配列された複数の光電池サブモジュール２１を含む例について説明したが、これに限られない。光電池モジュール２０は長手方向（Ｘ軸方向）に一体に形成されたリボン状の光電池を含んでもよい。このようなリボン状の光電池は、一つのスラット上にＺ軸方向に多列（例えば５列）に布設されてもよく、一つのスラット上に一体の光電池が一つだけ布設されてもよい。このようなリボン状の光電池は、例えばＣＩＧＳ系光電池を採用することで実現することができる。
【００４９】
実施の形態では、第１光電池モジュール２２と第２光電池モジュール２４の発電量の多い方の出力を選択して出力する選択回路が設けられる例について説明したが、これに限られない。例えば、第１光電池モジュール２２と第２光電池モジュール２４のそれぞれが発電した電力を別系統で消費するように構成してもよい。これらの電力系統は必要に応じて、発電側と消費側とをそれぞれ切り替え可能に構成されてもよい。この場合、発電電力を効率的に利用することができる。
【００５０】
説明に使用した図面では、部材の関係を明瞭にするために一部の部材にハッチングを施しているが、当該ハッチングはこれらの部材の素材や材質を制限するものではない。
【符号の説明】
【００５１】
１・・光電池ブラインドシステム、  １０・・スラット、  １１・・通孔、  １２・・第１外面部、  １４・・第２外面部、  １５・・中空部、  １６・・コア部、  ２０・・光電池モジュール、  ２２・・第１光電池モジュール、  ２３・・光電池セル、  ２４・・第２光電池モジュール、  ３０・・通気孔、  ７０・・バッテリー、  ７２・・電力供給装置、  ８０・・室内、  ８１・・室外、  ８２・・電気機器、  １００・・ブラインド。
【図１】
0006679382.tif 000002
【図２】
0006679382.tif 000003
【図３】
0006679382.tif 000004
【図４】
0006679382.tif 000005
【図５】
0006679382.tif 000006
【図６】
0006679382.tif 000007
【図７】
0006679382.tif 000008
【図８】
0006679382.tif 000009
【図９】
0006679382.tif 000010
【図１０】
0006679382.tif 000011
【図１１】
0006679382.tif 000012
【図１２】
0006679382.tif 000013